【手続補正書】
【提出日】平成17年7月19日(2005.7.19)
【手続補正１】
【補正対象書類名】明細書
【補正対象項目名】特許請求の範囲
【補正方法】変更
【補正の内容】
【特許請求の範囲】
【請求項１】
列に並べられた複数のインク吐出ノズルと、
前記ノズルにそれぞれ連通する、列に並べられた複数の圧力室と、
前記圧力室の列に沿って延び、前記複数の圧力室に共通に連通する、所定の幅と深さをもったインクリザーバと、
前記インクリザーバの外面の少なくとも一部を変形可能な状態で覆う可撓性のフィルムと、
前記インクリザーバに連通するインク供給路と、
を備え、
前記フィルムが変形可能な状態で前記インクリザーバを覆っている前記領域が、前記圧力室の近傍で、前記圧力室の列に沿って、少なくとも前記圧力室の列の一端から他端までの範囲に連続して亙っているインクジェット印刷ヘッド。
【請求項２】
列に並べられた複数のインク吐出ノズルと、
前記ノズルにそれぞれ連通する、列に並べられた複数の圧力室と、
前記圧力室の列に沿って延び、前記複数の圧力室に共通に連通する、所定の幅と深さをもったインクリザーバと、
前記インクリザーバに連通するインク供給路と、
を備え、
前記インク供給路の出口が前記インクリザーバの中央部であって、かつ前記圧力室の側とは逆側に寄った箇所に配置されているインクジェット印刷ヘッド。
【請求項３】
列に並べられた複数のインク吐出ノズルと、
前記ノズルにそれぞれ連通する、列に並べられた複数の圧力室と、
前記圧力室の列に沿って延び、前記複数の圧力室に共通に連通する、所定の幅と深さをもったインクリザーバと、
前記インクリザーバに連通するインク供給路と、
前記インクリザーバの外面の少なくとも一部を変形可能な状態で覆い、それにより前記圧力室から前記インクリザーバへ噴出する圧力を吸収するよう作用する、可撓性のフィルムと、
を備え、
前記インク供給路の出口が、前記圧力室の列に沿った方向での前記インクリザーバの中央部であって、かつ前記圧力室の側とは逆側に寄った箇所に配置され、
前記インク供給路の出口の、前記圧力室の列に直交する方向に沿った幅が、前記インクリザーバの、前記圧力室の列に直交する方向に沿った最大の幅より小さく、
前記フィルムが変形可能な状態で前記インクリザーバを覆っている前記領域が、前記圧力室の近傍で、前記圧力室の列に沿って、少なくとも前記圧力室の列の一端から他端までの範囲に連続して亙っているインクジェット印刷ヘッド。
【請求項４】
インクジェット印刷ヘッドと、
前記インクジェット印刷ヘッドを移動させるキャリッジ機構と、
用紙を搬送する紙送り機構と、
前記インクジェット印刷ヘッド、前記キャリッジ機構及び前記紙送り機構を駆動し制御する制御回路とを備え、
前記インクジェット印刷ヘッドが、
列に並べられた複数のインク吐出ノズルと、
前記ノズルにそれぞれ連通する、列に並べられた複数の圧力室と、
前記圧力室の列に沿って延び、前記複数の圧力室に共通に連通する、所定の幅と深さをもったインクリザーバと、
前記インクリザーバの外面の少なくとも一部を変形可能な状態で覆う可撓性のフィルムと、
前記インクリザーバに連通するインク供給路と、
を備え、
前記フィルムが変形可能な状態で前記インクリザーバを覆っている前記領域が、前記圧力室の近傍で、前記圧力室の列に沿って、少なくとも前記圧力室の列の一端から他端までの範囲に連続して亙っているインクジェットプリンタ。
【請求項５】
インクジェット印刷ヘッドと、
前記インクジェット印刷ヘッドを移動させるキャリッジ機構と、
用紙を搬送する紙送り機構と、
前記インクジェット印刷ヘッド、前記キャリッジ機構及び前記紙送り機構を駆動し制御する制御回路とを備え、
前記インクジェット印刷ヘッドが、
列に並べられた複数のインク吐出ノズルと、
前記ノズルにそれぞれ連通する、列に並べられた複数の圧力室と、
前記圧力室の列に沿って延び、前記複数の圧力室に共通に連通する、所定の幅と深さをもったインクリザーバと、
前記インクリザーバに連通するインク供給路と、
を備え、
前記インク供給路の出口が前記インクリザーバの中央部であって、かつ前記圧力室の側とは逆側に寄った箇所に配置されているインクジェットプリンタ。
【請求項６】
インクジェット印刷ヘッドと、
前記インクジェット印刷ヘッドを移動させるキャリッジ機構と、
用紙を搬送する紙送り機構と、
前記インクジェット印刷ヘッド、前記キャリッジ機構及び前紙送り機構を駆動し制御する制御回路とを備え、
前記インクジェット印刷ヘッドが、
列に並べられた複数のインク吐出ノズルと、
前記ノズルにそれぞれ連通する、列に並べられた複数の圧力室と、
前記圧力室の列に沿って延び、前記複数の圧力室に共通に連通する、所定の幅と深さをもったインクリザーバと、
前記インクリザーバに連通するインク供給路と、
前記インクリザーバの外面の少なくとも一部を変形可能な状態で覆い、それにより前記圧力室から前記インクリザーバへ噴出する圧力を吸収するよう作用する、可撓性のフィルムと、
を有し、
前記インク供給路の出口が、前記圧力室の列に沿った方向での前記インクリザーバの中央部であって、かつ前記圧力室の側とは逆側に寄った箇所に配置され、
前記インク供給路の出口の、前記圧力室の列に直交する方向に沿った幅が、前記インクリザーバの、前記圧力室の列に直交する方向に沿った最大の幅より小さく、
前記フィルムが変形可能な状態で前記インクリザーバを覆っている前記領域が、前記圧力室の近傍で、前記圧力室の列に沿って、少なくとも前記圧力室の列の一端から他端までの範囲に連続して亙っているインクジェットプリンタ。
【請求項７】
列に並べられた複数のインク吐出ノズルと、
前記ノズルにそれぞれ連通する、列に並べられた複数の圧力室と、
前記圧力室の列に沿って延びた、前記複数の圧力室に共通に連通する、所定の幅と深さをもったインクリザーバと、
前記インクリザーバにインクを供給するための、前記インクリザーバに連通するインク供給路と、
を備え、
前記インク供給路の断面積が、前記インクリザーバへの出口にて、前記出口より上流側の部分よりも縮小されているインクジェット印刷ヘッド。
【請求項８】
前記インクリザーバの外面の少なくとも一部を変形可能な状態で覆い、それにより前記圧力室から前記インクリザーバへ噴出する圧力を吸収するよう作用する、可撓性のフィルムを備えた請求項７記載のインクジェット印刷ヘッド。
【請求項９】
前記インクジェット印刷ヘッドの前面に配置された、前記ノズルが形成されているノズルプレートと、
前記ノズルプレートの背面に接合され、前記圧力室と前記インクリザーバを形成しているスペーサと、
前記スペーサに接合されて前記インクリザーバの背面の少なくとも一部の領域を変形可能な状態で覆い、それにより前記圧力室から前記インクリザーバへ噴出する圧力を吸収するよう作用する、可撓性のフィルムと、
を備え、
前記インク供給路の出口が、前記インクリザーバの背面の所定箇所に配置されている請求項７記載のインクジェット印刷ヘッド。
【請求項１０】
前記インク供給路の出口の幅が、前記インクリザーバの幅より小さい請求項７〜９のいずれか一項記載のインクジェット印刷ヘッド。
【請求項１１】
前記インク供給路の出口の、前記圧力室の列に直交する方向に沿った幅が、前記インクリザーバの深さより小さい請求項７〜９のいずれか一項記載のインクジェット印刷ヘッド。
【請求項１２】
前記フィルムが変形可能な状態で前記インクリザーバを覆っている前記領域が、前記圧力室の近傍で、前記圧力室の列に沿って、少なくとも前記圧力室の列の一端から他端までの範囲に連続して亙っている請求項８又は請求項９記載のインクジェット印刷ヘッド。
【請求項１３】
前記インク供給路の出口が、前記圧力室の列に沿った方向での前記インクリザーバの中央部であって、かつ前記圧力室の側とは逆側に寄った箇所に配置され、
前記インク供給路の出口の、前記圧力室の列に直交する方向に沿った幅が、前記インクリザーバの、前記圧力室の列に直交する方向に沿った最大の幅より小さい請求項１２記載のインクジェット印刷ヘッド。
【請求項１４】
前記インクリザーバの、前記圧力室の列に直交する方向に沿った最大の幅が、前記インクリザーバの深さより大きい請求項７〜９のいずれか一項記載のインクジェット印刷ヘッド。
【請求項１５】
前記インク供給路の出口形状が、前記インクリザーバの延びた方向に長いほぼ楕円又は長円である請求項７〜９のいずれか一項記載のインクジェット印刷ヘッド。
【請求項１６】
前記インク供給路の出口の、前記圧力室の列に直交する方向に沿った幅が、前記インクリザーバの、前記圧力室の列に直交する方向に沿った最大の幅より小さい請求項７〜９のいずれか一項記載のインクジェット印刷ヘッド。
【請求項１７】
列に並べられた複数のインク吐出ノズルと、
前記ノズルにそれぞれ連通する、列に並べられた複数の圧力室と、
前記圧力室の列に沿って延びた、前記複数の圧力室に共通に連通する、所定の幅と深さをもったインクリザーバと、
前記インクリザーバの外面の少なくとも一部を変形可能な状態で覆う可撓性のフィルムと、
前記インクリザーバにインクを供給するための、前記インクリザーバに連通するインク供給路と、
を備え、
前記インク供給路の出口形状が、前記インクリザーバの延びた方向に長いほぼ楕円又は長円であり、
前記インク供給路の出口の、前記圧力室の列に直交する方向に沿った幅が、前記インクリザーバの深さより小さい、
インクジェット印刷ヘッド。
【請求項１８】
列に並べられた複数のインク吐出ノズルと、
前記ノズルにそれぞれ連通する、列に並べられた複数の圧力室と、
前記圧力室の列に沿って延びた、前記複数の圧力室に共通に連通する、所定の幅と深さをもったインクリザーバと、
前記インクリザーバの外面の少なくとも一部を変形可能な状態で覆う可撓性のフィルムと、
前記インクリザーバにインクを供給するための、前記インクリザーバに連通するインク供給路と、
を備え、
前記インク供給路の出口形状が、前記インクリザーバの延びた方向に長いほぼ楕円又は長円であり、
前記インク供給路の出口が、前記圧力室の列に沿った方向での前記インクリザーバの中央部であって、かつ前記圧力室の側とは逆側に寄った箇所に配置され、
前記インク供給路の出口の、前記圧力室の列に直交する方向に沿った幅が、前記インクリザーバの、前記圧力室の列に直交する方向に沿った最大の幅より小さく、
前記フィルムが変形可能な状態で前記インクリザーバを覆っている前記領域が、前記圧力室の近傍で、前記圧力室の列に沿って、少なくとも前記圧力室の列の一端から他端までの範囲に連続して亙っている、
インクジェット印刷ヘッド。
【請求項１９】
インクジェット印刷ヘッドと、
前記インクジェット印刷ヘッドを移動させるキャリッジ機構と、
用紙を搬送する紙送り機構と、
前記インクジェット印刷ヘッド、前記キャリッジ機構及び前記紙送り機構を駆動し制御する制御回路とを備え、
前記インクジェット印刷ヘッドが、
列に並べられた複数のインク吐出ノズルと、
前記ノズルにそれぞれ連通する、列に並べられた複数の圧力室と、
前記圧力室の列に沿って延びた、前記複数の圧力室に共通に連通する、所定の幅と深さをもったインクリザーバと、
前記インクリザーバにインクを供給するための、前記インクリザーバに連通するインク供給路と、
を有し、
前記インク供給路の断面積が、前記インクリザーバへの出口にて、前記出口より上流側の部分よりも縮小されているインクジェットプリンタ。
【請求項２０】
インクジェット印刷ヘッドと、
前記インクジェット印刷ヘッドを移動させるキャリッジ機構と、
用紙を搬送する紙送り機構と、
前記インクジェット印刷ヘッド、前記キャリッジ機構及び前記紙送り機構を駆動し制御する制御回路とを備え、
前記インクジェット印刷ヘッドが、
列に並べられた複数のインク吐出ノズルと、
前記ノズルにそれぞれ連通する、列に並べられた複数の圧力室と、
前記圧力室の列に沿って延びた、前記複数の圧力室に共通に連通する、所定の幅と深さをもったインクリザーバと、
前記インクリザーバの外面の少なくとも一部を変形可能な状態で覆う可撓性のフィルムと、
前記インクリザーバにインクを供給するための、前記インクリザーバに連通するインク供給路と、
を有し、
前記インク供給路の出口形状が、前記インクリザーバの延びた方向に長いほぼ楕円又は長円であり、
前記インク供給路の出口の、前記圧力室の列に直交する方向に沿った幅が、前記インクリザーバの深さより小さい、
インクジェットプリンタ。
【請求項２１】
インクジェット印刷ヘッドと、
前記インクジェット印刷ヘッドを移動させるキャリッジ機構と、
用紙を搬送する紙送り機構と、
前記インクジェット印刷ヘッド、前記キャリッジ機構及び前記紙送り機構を駆動し制御する制御回路とを備え、
前記インクジェット印刷ヘッドが、
列に並べられた複数のインク吐出ノズルと、
前記ノズルにそれぞれ連通する、列に並べられた複数の圧力室と、
前記圧力室の列に沿って延びた、前記複数の圧力室に共通に連通する、所定の幅と深さをもったインクリザーバと、
前記インクリザーバの外面の少なくとも一部を変形可能な状態で覆う可撓性のフィルムと、
前記インクリザーバにインクを供給するための、前記インクリザーバに連通するインク供給路と、
を有し、
前記インク供給路の出口形状が、前記インクリザーバの延びた方向に長いほぼ楕円又は長円であり、
前記インク供給路の出口が、前記圧力室の列に沿った方向での前記インクリザーバの中央部であって、かつ前記圧力室の側とは逆側に寄った箇所に配置され、
前記インク供給路の出口の、前記圧力室の列に直交する方向に沿った幅が、前記インクリザーバの、前記圧力室の列に直交する方向に沿った最大の幅より小さく、
前記フィルムが変形可能な状態で前記インクリザーバを覆っている前記領域が、前記圧力室の近傍で、前記圧力室の列に沿って、少なくとも前記圧力室の列の一端から他端までの範囲に連続して亙っている、
インクジェットプリンタ。